(57)【要約】【課題】ケーブルがケースから外れることを適切に抑制できる技術を提供する。【解決手段】固定部材６０は、径方向に突出する凸部６６ａ、６６ｂを有している。切欠部２５ａ、２５ｂの周方向の位置と凸部６６ａ、６６ｂの周方向の位置とが一致する第１状態では、凸部６６ａ、６６ｂが切欠部２５ａ、２５ｂを通過することで固定部材６０の本体６２はケース２０の貫通孔２４を通過可能となる。切欠部２５ａ、２５ｂの周方向の位置と凸部６６ａ、６６ｂの周方向の位置とが一致しない第２状態では、凸部６６ａ、６６ｂによって固定部材６０の本体６２はケース２０の貫通孔２４を通過不能となる。固定部材６０の本体６２がケース２０の貫通孔２４を通過した状態で第１状態から第２状態に切換え可能となっており、第２状態では凸部６６ａがケース２０内面の嵌合凹部２８に嵌合して第２状態から第１状態となることを規制する。【選択図】図５
2015106258.tif 000002
【特許請求の範囲】
【請求項１】
情報コードを読取可能な情報コード読取装置であって、
貫通孔が形成されたケースと、
ケースの貫通孔に着脱可能に挿し込まれる端部を有するケーブルと、
ケーブルが挿通される挿通孔が形成された筒状の本体を有する固定部材と、を備えており、
ケースの貫通孔の周方向の一部には切欠部が形成されており、
ケースの内面であって貫通孔の周縁部分には嵌合凹部が形成されており、
ケーブルの端部には、径方向に突出するとともに、ケースの貫通孔を通過可能なフランジ部が形成されており、
固定部材の本体の周方向の一部には、本体の外周面から本体の径方向に突出する凸部が形成されており、
固定部材の挿通孔は、ケーブルのフランジ部が通過不可能とされており、
切欠部の周方向の位置と凸部の周方向の位置とが一致する第１状態では、凸部が切欠部を通過することで固定部材の本体はケースの貫通孔を通過可能となり、
切欠部の周方向の位置と凸部の周方向の位置とが一致しない第２状態では、凸部によって固定部材の本体はケースの貫通孔を通過不能となり、
固定部材の本体がケースの貫通孔を通過した状態で第１状態から第２状態に切換え可能となっており、第２状態では凸部がケース内面の嵌合凹部に嵌合して第２状態から第１状態となることを規制する、
情報コード読取装置。
【請求項２】
ケースの内面で、かつ、貫通孔の周縁部分にはテーパ部が形成されており、
テーパ部は、切欠部と嵌合凹部との間に形成されており、
テーパ部の表面のケース内部への突出量は、切欠部側から嵌合凹部側に向けて徐々に大きくなり、
テーパ部の嵌合凹部側の端部の突出量は、嵌合凹部のケース内部への突出量よりも大きい、
請求項１の情報コード読取装置。
【請求項３】
嵌合凹部のうちの切欠部から遠い側の端のケース内面には、固定部材の凸部の周方向の移動を制限するストッパが形成されている、
請求項１又は２の情報コード読取装置。
【請求項４】
ケースの端部に取り付けられ、ケースよりも柔軟な材料によって形成されている保護部材をさらに備えている、
請求項１から３のいずれか１項の情報コード読取装置。
【請求項５】
保護部材は、ケーブルと固定部材の本体及び凸部が通過可能な通過孔を有しており、
固定部材は、さらに、
本体の外周面から本体の径方向に突出しており、本体及び凸部が保護部材の通過孔を通過する場合に通過孔の周縁部分に当接される突出部を有しており、
突出部は、固定部材の凸部がケース内の嵌合凹部と嵌合される場合に、ケースとの間に保護部材を挟んで保護部材をケースに固定する、
請求項４の情報コード読取装置。
【発明の詳細な説明】
【技術分野】
【０００１】
本明細書で開示する技術は、情報コードを読取可能な情報コード読取装置に関する。
【背景技術】
【０００２】
特許文献１には、本件出願人が開発した情報コード読取装置が開示されている。情報コード読取装置は、ケースと、ケーブルと、固定部材とを備えている。ケースの端部には貫通孔が形成されており、貫通孔の周方向の一部には切欠部が形成されている。ケーブルの端部には、ケーブルの径方向に突出するとともに、ケースの貫通孔を通過可能なフランジ部が形成されている。ケーブルのフランジ部がケースの貫通孔を通ってケース内に挿通されると、ケーブルの端部がケース内に収容された制御機構に接続される。固定部材は、ケーブルが挿通される挿通孔が形成された筒状の本体と、本体の外周面から本体の径方向に突出する凸部とを有している。固定部材の本体の周方向の一部には、本体の外周面から本体の径方向に突出する凸部が形成されている。固定部材の挿通孔は、ケーブルのフランジ部が通過不可能とされている。切欠部の周方向の位置と凸部の周方向の位置とが一致する第１状態では、凸部が切欠部を通過することで固定部材の本体はケースの貫通孔を通過可能となる。切欠部の周方向の位置と凸部の周方向の位置とが一致しない第２状態では、凸部によって固定部材の本体はケースの貫通孔を通過不能となる。この情報コード読取装置では、切欠部の周方向の位置と凸部の周方向の位置とが一致する第１状態として、ケーブルの端部及び固定部材の本体をケースの貫通孔内に挿し込む。次いで、ケースに対して固定部材をその軸周りに回転させ、切欠部の周方向の位置と凸部の周方向の位置とが一致しない第２状態とする。これによって、固定部材の凸部がケース内面の孔の周縁部分上に着座して、固定部材がケースの貫通孔を通過不能となり、固定部材がケース内に保持される。ケーブルのフランジ部は固定部材の本体の挿通孔を通過不可能であるため、固定部材がケース内に保持されることにより、ケーブルもケース内に保持される。
【先行技術文献】
【特許文献】
【０００３】
【特許文献１】特開２０１３−２０４３５号公報
【発明の概要】
【発明が解決しようとする課題】
【０００４】
特許文献１の情報コード読取装置では、ケースの貫通孔に固定部材を挿し込んだ後、ケースに対して固定部材を回動させることで、ケース内にケーブル及び固定部材を保持する。通常、ケースと固定部材の接触面には摩擦力が作用するため、ケースに対して固定部材が自由に回動することはなく、ケースから固定部材及び／又はケーブルが外れることがある程度は防止される。しかしながら、情報コード読取装置により情報コードを読取る際には、ユーザがケースを把持し、情報コードに対して情報コード読取装置を読取位置まで移動させる。このため、固定部材に力が加わり、固定部材が意図せずケースに対して回動する可能性がある。その結果、凸部が切欠部を通過する位置まで回動し、本体が貫通孔を通過して、固定部材がケースから外れる可能性がある。固定部材がケースから外れると、ケーブルまで外れる虞がある。
【０００５】
本明細書では、ケーブルがケースから外れることを適切に抑制できる技術を提供する。
【課題を解決するための手段】
【０００６】
本明細書が開示する技術は、情報コードを読取可能な情報コード読取装置である。情報コード読取装置は、貫通孔が形成されたケースと、ケースの貫通孔に着脱可能に挿し込まれる端部を有するケーブルと、ケーブルが挿通される挿通孔が形成された筒状の本体を有する固定部材と、を備えている。ケースの貫通孔の周方向の一部には切欠部が形成されている。ケースの内面であって貫通孔の周縁部分には嵌合凹部が形成されている。ケーブルの端部には、径方向に突出するとともに、ケースの貫通孔を通過可能なフランジ部が形成されている。固定部材の本体の周方向の一部には、本体の外周面から本体の径方向に突出する凸部が形成されている。固定部材の挿通孔は、ケーブルのフランジ部が通過不可能とされている。切欠部の周方向の位置と凸部の周方向の位置とが一致する第１状態では、凸部が切欠部を通過することで固定部材の本体はケースの貫通孔を通過可能となる。切欠部の周方向の位置と凸部の周方向の位置とが一致しない第２状態では、凸部によって固定部材の本体はケースの貫通孔を通過不能となる。固定部材の本体がケースの貫通孔を通過した状態で第１状態から第２状態に切換え可能となっており、第２状態では凸部がケース内面の嵌合凹部に嵌合して第２状態から第１状態となることを規制する。
【０００７】
上記の情報コード読取装置では、ケースの内面であって貫通孔の周縁部分には嵌合凹部が形成されている。貫通孔の切欠部を通過した固定部材の凸部は、ケースに対して固定部材が回動することで、ケース内の嵌合凹部と嵌合し、固定部材がケースに組み付けられる。ケーブルのフランジ部は固定部材の挿通孔を通過不可能であるため、固定部材がケースに組み付けられることにより、ケーブルがケースから抜けることが防止される。固定部材がケースに組み付けられた状態では、固定部材の凸部がケース内の嵌合凹部に嵌合しているため、情報コード読取装置の使用に伴って固定部材に力が加わる場合であっても、固定部材がケースに対して回動することが抑制される。即ち、第２状態から第１状態になることが規制される。そのため、固定部材がケースから外れることが抑制され、ケーブルがケースから外れることを適切に抑制することができる。
【図面の簡単な説明】
【０００８】
【図１】情報コード読取装置の側面図を示す。
【図２】情報コード読取装置の分解斜視図を示す。
【図３】情報コード読取装置の側面断面図を示す。
【図４】情報コード読取装置の分解底面斜視図を示す。
【図５】図３のＲ−Ｒ断面図を示す。
【図６】第２ケース体の部分拡大斜視図を示す。
【図７】凸部が嵌合凹部に嵌合される様子を模式的に示す。
【発明を実施するための形態】
【０００９】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１０】
（特徴１）ケースの内面で、かつ、貫通孔の周縁部分にはテーパ部が形成されていてもよい。テーパ部は、切欠部と嵌合凹部との間に形成されていてもよい。テーパ部の表面のケース内部への突出量は、切欠部側から嵌合凹部側に向けて徐々に大きくなっていてもよい。テーパ部の嵌合凹部側の端部の突出量は、嵌合凹部のケース内部への突出量よりも大きくてもよい。
【００１１】
この構成によると、切欠部を通過してケース内に進入した凸部は、ケースに対して固定部材が回動するのに伴って、テーパ部に沿って嵌合凹部方向にガイドされ、その後に嵌合凹部に嵌合する。そのため、固定部材をケースに組み付ける作業を行うユーザが、ケース内で凸部が嵌合凹部に嵌合されたことを認識し易くなる。従って、凸部と嵌合凹部とを適切に嵌合し得る。
【００１２】
（特徴２）嵌合凹部のうちの切欠部から遠い側の端のケース内面には、固定部材の凸部の周方向の移動を制限するストッパが形成されていてもよい。
【００１３】
この構成によると、凸部がストッパに当接することで、ケースに対する固定部材の回動が規制される。固定部材の凸部を適切に嵌合凹部に嵌合させることができる。
【００１４】
（特徴３）ケースの端部に取り付けられ、ケースよりも柔軟な材料によって形成されている保護部材をさらに備えていてもよい。
【００１５】
この構成によると、ケーブルが取り付けられている側からケースが落下した際に、保護部材によって落下時の衝撃を吸収することができ、ケースへの衝撃の伝播を緩和することができる。
【００１６】
（特徴４）保護部材は、ケーブルと固定部材の本体及び凸部が通過可能な通過孔を有していてもよい。固定部材は、さらに、本体の外周面から本体の径方向に突出しており、本体及び凸部が保護部材の通過孔を通過する場合に通過孔の周縁部分に当接される突出部を有していてもよい。突出部は、固定部材の凸部がケース内の嵌合凹部と嵌合される場合に、ケースとの間に保護部材を挟んで保護部材をケースに固定してもよい。
【００１７】
この構成によると、ケースよりも柔軟な保護部材が必要に応じて変形することによって、固定部材の凸部を嵌合凹部に嵌合させる際、及び、凸部と嵌合凹部の嵌合を解除する際の操作を容易に行い得る。
【実施例】
【００１８】
（全体構成）
図１に示す情報コード読取装置１０は、１次元コード、２次元コード等の情報コードを読取可能なコードリーダである。図１及び図２に示すように、情報コード読取装置１０は、ケース２０と、保護部材４０と、固定部材６０と、ケーブル８０とを備えている。情報コード読取装置１０は、いわゆるガンタイプのコードリーダであり、ケース２０の前方（図１中の左側）端部に読取口２２が設けられ、ケース２０の把持部分の前面には押圧操作可能なトリガスイッチ３６が設けられている。ケース２０の下方（図１の下側）端部にはケーブル８０が取り付けられている。情報コード読取装置１０は、読取口２２を読取対象の情報コードに向けられた状態でトリガスイッチ３６が押されると、読取対象の情報コードに記録された情報を読取ることができる。なお、以下、図１中の左側の方向を前方、図１中の右側の方向を後方と呼ぶ場合がある。また、図１中の上側の方向を上方、図１中の下側の方向を下方と呼ぶ場合がある。
【００１９】
（ケース２０）
ケース２０は、情報コードの読み取りを制御するための各種装置を収容する。ケース２０に収容される各種装置は、照明光源、受光センサ、フィルタ、結像レンズ等の光学系要素と、メモリ、制御回路等の制御系要素とを含む。このうち、制御系要素は、図３に示す基板１００に実装されている。基板１００には、ソケット１０２が設けられている。ソケット１０２には、ケーブル８０のコネクタ８２の上端部を挿入可能である。
【００２０】
図１及び図２に示すように、ケース２０は、硬質の樹脂部材によって構成されている筐体である。ケース２０は、第１ケース体２０ａと第２ケース体２０ｂとを組み合わせて形成されている。第１ケース体２０ａがケース２０の前側部分をなし、第２ケース体２０ｂがケース２０の後側部分をなしている。
【００２１】
図４に示すように、ケース２０の下端部には貫通孔２４が形成されている。貫通孔２４の周方向には、２個の切欠部２５ａ、２５ｂが形成されている。図５に示すように、切欠部２５ａは、第２ケース体２０ｂ側に形成され、切欠部２５ｂは、第１ケース体２０ａ側に形成されている。また、ケース２０の内面で、かつ、貫通孔２４の周縁部分には、ストッパ３０ａ、３０ｂが形成されている。また、図４、図５、及び、図６に示すように、第２ケース体２０ｂの内面であって、貫通孔２４の周縁部分には、テーパ部２６、及び、嵌合凹部２８が形成されている。図６及び図７に示すように、テーパ部２６の表面のケース内部への突出量は、切欠部２５ａ側から嵌合凹部２８側に向けて徐々に大きくなっている。また、テーパ部２６の嵌合凹部２８側の端部の突出量は、嵌合凹部２８のケース内部への突出量よりも大きい。上記のストッパ３０ａは、嵌合凹部２８のうちの切欠部２５ａから遠い側の端に形成されている。また、図６に示すように、切欠部２５ａは、第２ケース体２０ｂの外側から内側に向けて開口幅が狭くなるテーパ状に形成されている。図示していないが、切欠部２５ｂも切欠部２５ａと同様の形状に形成されている。そのため、切欠部２５ａ、２５ｂに固定部材６０の凸部６６ａ、６６ｂを通過させる際に、凸部６６ａ、６６ｂを切欠部２５ａ、２５ｂ内へと導入させ易くしている。本実施例では、図５に示すように、第１ケース体２０ａの内面には、テーパ部及び嵌合凹部は形成されていない。
【００２２】
図２及び図４に示すように、ケース２０の下端部には、保護部材４０の係合孔４６に挿入可能な複数本の係合爪３２が形成されている。各係合爪３２は、ケース２０の下端部から下方側に突出するように形成されている。
【００２３】
（保護部材４０）
保護部材４０は、例えば、ケース２０よりも軟質及び高弾性の材料（例えば、ゴム、エラストマー等の柔軟材料）によって構成されている。図２及び図４に示すように、保護部材４０には、保護部材４０を上下方向に貫通する通過孔４２が形成されている。通過孔４２の周方向には、２個の切欠部４４ａ、４４ｂが形成されている。通過孔４２の周辺部分であって、保護部材４０の上面には、ケース２０の係合爪３２を挿入可能な複数個の係合孔４６が形成されている。ケース２０の複数本の係合爪３２を、保護部材４０の複数個の係合孔４６に挿入することで、ケース２０の下端部に保護部材４０を取り付けることができる。
【００２４】
ケース２０の下端部に保護部材４０が取り付けられると、保護部材４０の通過孔４２と、ケース２０の貫通孔２４とが連続する１つの貫通孔となる。さらに、保護部材４０の通過孔４２の切欠部４４ａ、４４ｂの周方向の位置が、それぞれ、ケース２０の貫通孔２４の切欠部２５ａ、２５ｂの周方向の位置と一致する。
【００２５】
（ケーブル８０）
図２に示すように、ケーブル８０は、コネクタ８２と、コネクタ８２から延伸する配線９０とを有している。図３に示すように、コネクタ８２の先端部分８２ａは、保護部材４０の通過孔４２及びケース２０の貫通孔２４に挿し通されてケース２０内のソケット１０２に接続される。その際、コネクタ８２の後端部分８２ｂは、ケース２０の外側に配置される。コネクタ８２の外郭は硬質の樹脂材料で形成されている。後端部分８２ｂの外周面には、図示しない複数本のスリットが形成されている。これによって後端部分８２ｂは可撓性を有する。配線９０は、コネクタ８２の後端部分８２ｂから延伸している。
【００２６】
コネクタ８２の先端部分８２ａには、径方向に突出するフランジ部８４が形成されている。フランジ部８４は、保護部材４０の通過孔４２及びケース２０の貫通孔２４を通過可能な大きさに形成されている。フランジ部８４の周方向の一部には、フランジ部８４の外周面から径方向に突出する２個の凸部８６ａ、８６ｂが形成されている。また、コネクタ８２の先端部分８２ａのうち、フランジ部８４から所定距離隔てた下方側には、フランジ部８４よりも突出量が少ないリング部８８が形成されている。
【００２７】
ケース２０の下端部に保護部材４０が取り付けられている場合において、保護部材４０の通過孔４２の２個の切欠部４４ａ、４４ｂの周方向の位置（即ち、ケース２０の貫通孔２４の２個の切欠部２５ａ、２５ｂの周方向の位置）と、凸部８６ａ、８６ｂの周方向の位置と、が一致する状態では、凸部８６ａ、８６ｂが切欠部４４ａ、４４ｂ及び切欠部２５ａ、２５ｂを通過可能である。この場合、凸部８６ａ、８６ｂが切欠部４４ａ、４４ｂ及び切欠部２５ａ、２５ｂを通過することで、コネクタ８２の先端部分８２ａが、保護部材４０の通過孔４２及びケース２０の貫通孔２４を通過する。ケース２０の貫通孔２４を通過したコネクタ８２の先端部分８２ａは、ケース２０内で、ソケット１０２に挿入されて基板１００と接続可能となる。
【００２８】
（固定部材６０）
固定部材６０は、保護部材４０よりも硬質の樹脂材料によって形成されている。図２に示すように、固定部材６０は、筒状の本体６２を有している。本体６２には、ケーブル８０が挿通される挿通孔６４が形成されている。ただし、挿通孔６４は、ケーブル８０のフランジ部８４が通過不可能な径に形成されている。本体６２の上端部の周方向の一部には、本体６２の外周面から本体６２の径方向に突出する２個の凸部６６ａ、６６ｂが形成されている。本体６２のうち、凸部６６ａ、６６ｂの位置から所定距離隔てた下方側には、本体６２の外周面から本体６２の径方向に突出している突出部６８が形成されている。
【００２９】
ケース２０の下端部に保護部材４０が取り付けられている場合において、保護部材４０の通過孔４２の２個の切欠部４４ａ、４４ｂの周方向の位置（即ち、ケース２０の貫通孔２４の２個の切欠部２５ａ、２５ｂの周方向の位置）と、凸部６６ａ、６６ｂの周方向の位置と、が一致する状態（即ち、図５中の第１状態）では、凸部６６ａ、６６ｂが切欠部４４ａ、４４ｂ及び切欠部２５ａ、２５ｂを通過可能である。この場合、凸部６６ａ、６６ｂが切欠部４４ａ、４４ｂ及び切欠部２５ａ、２５ｂを通過することで、固定部材６０の本体６２が、保護部材４０の通過孔４２及びケース２０の貫通孔２４を通過する。
【００３０】
さらに、固定部材６０の本体６２がケース２０の貫通孔２４を通過した状態で、本体６２を周方向（図５の反時計回り）に回動させることで、切欠部２５ａ、２５ｂの位置と凸部６６ａ、６６ｂとが一致しない状態（即ち、図５中の第２状態）に移行する。第２状態では、固定部材６０の本体６２はケース２０の貫通孔２４を通過することができない。本体６２を回動させる際には、図７に示すように、凸部６６ａは、テーパ部２６に沿って嵌合凹部２８方向にガイドされ、その後に嵌合凹部２８に嵌合する。凸部６６ａが嵌合凹部２８に嵌合することで、第２状態から第１状態に戻ることが規制される。上記の通り、ケーブル８０のフランジ部８４は固定部材６０の挿通孔６４を通過不能であるため、固定部材６０がケース２０に組み付けられることによって、ケーブル８０がケース２０から抜けることが防止される。同時に、図３に示すように、ケーブル８０のリング部８８が、固定部材６０の内周に形成された段差部によって上方側に押し付けられるように固定される。これによっても、ケーブル８０がケース２０から抜けることが防止される。
【００３１】
固定部材６０の本体６２がケース２０の貫通孔２４を通過した状態で、本体６２を周方向（図５の反時計回り）に回動させる際には、凸部６６ａ、６６ｂの周方向の移動は、ストッパ３０ａ、３０ｂによって規制される。即ち、本体６２を過度に回動させようとしても、凸部６６ａ、６６ｂがストッパ３０ａ、３０ｂに当接することで、ケース２０に対する固定部材６０の回動が規制される。
【００３２】
図３に示すように、固定部材６０の突出部６８は、本体６２が保護部材４０の通過孔４２を通過する際に、通過孔４２の周縁部分に当接される。さらに、突出部６８は、固定部材の凸部６６ａが嵌合凹部２８に嵌合されると、ケース２０との間に保護部材４０を挟んで、保護部材４０をケース２０に固定する。
【００３３】
（情報コード読取装置１０の組み立て）
次いで、上述のケース２０、保護部材４０、ケーブル８０、及び、固定部材６０を組み合わせて、図１の情報コード読取装置１０を完成させる手順を説明する。
【００３４】
まず、ケース２０の複数本の係合爪３２を、保護部材４０の複数個の係合孔４６に挿入することで、ケース２０の下端部に保護部材４０を取り付ける（図２、図３参照）。ケース２０の下端部に保護部材４０が取り付けられると、保護部材４０の通過孔４２と、ケース２０の貫通孔２４とが１つの貫通孔となる。さらに、保護部材４０の通過孔４２の切欠部４４ａ、４４ｂの周方向の位置が、それぞれ、ケースの貫通孔２４の切欠部２５ａ、２５ｂの周方向の位置と一致する。
【００３５】
次いで、保護部材４０の通過孔４２の２個の切欠部４４ａ、４４ｂの周方向の位置（即ち、ケース２０の貫通孔２４の２個の切欠部２５ａ、２５ｂの周方向の位置）と、ケーブル８０の凸部８６ａ、８６ｂの周方向の位置と、を一致させ、ケーブル８０のコネクタ８２の先端部分８２ａを、保護部材４０の通過孔４２及びケース２０の貫通孔２４を通過させて、ケース２０内に挿入する。ケース２０内に挿入された先端部分８２ａを、ソケット１０２に挿入し、基板１００と接続させる（図３参照）。
【００３６】
次いで、保護部材４０の通過孔４２の２個の切欠部４４ａ、４４ｂの周方向の位置（即ち、ケース２０の貫通孔２４の２個の切欠部２５ａ、２５ｂの周方向の位置）と、凸部６６ａ、６６ｂの周方向の位置と、を一致させ（即ち、図５中の第１状態を形成する）、固定部材６０の本体６２を、保護部材４０の通過孔４２及びケース２０の貫通孔２４を通過させて、ケース２０内に挿入する。
【００３７】
固定部材６０の本体６２がケース２０の貫通孔２４を通過した状態で、本体６２を周方向（図５中反時計回り）に回動させる。本体６２を周方向に回動させることで、切欠部２５ａ、２５ｂの位置と凸部６６ａ、６６ｂとが一致しない状態（即ち、図５中の第２状態）に移行する。図７に示すように、凸部６６ａは、テーパ部２６に沿って嵌合凹部２８方向にガイドされ、その後に嵌合凹部２８に嵌合する。この際、本体６２を過度に回動させようとしても、凸部６６ａ、６６ｂがストッパ３０ａ、３０ｂに当接するため、過度の固定部材６０の回動は規制される。凸部６６ａが嵌合凹部２８に嵌合することで、第２状態が保持されるとともに、第２状態から第１状態に戻ることが規制される。すなわち、固定部材６０の凸部６６ａをテーパ部２６に沿って嵌合凹部２８に向かって回動させる際は、ユーザによって固定部材６０がケース２０内に押し込まれる。この際、固定部材６０の突出部６８が保護部材４０を上方に向けて押圧するため、保護部材４０が弾性変形する。保護部材４０が弾性変形することで、ユーザは固定部材６０をケース２０内に容易に押し込むことができる。固定部材６０の凸部６６ａが嵌合凹部２８に嵌合すると、ユーザによる固定部材６０のケース２０内への押し込み動作が停止する。これによって、保護部材４０の弾性力によって固定部材６０が下方に付勢され、固定部材６０の凸部６６ａが嵌合凹部２８から外れることが規制される。
【００３８】
ケーブル８０のフランジ部８４は固定部材６０の挿通孔６４を通過不可能であるため、固定部材６０がケース２０に組み付けられることにより、ケーブル８０がケース２０から抜けることが防止される。また、図３に示すように、ケーブル８０のリング部８８が、固定部材６０の内周に形成された段差部によって上方側に押し付けられるように固定される。これによっても、ケーブル８０がケース２０から抜けることが防止される。
【００３９】
固定部材６０をケース２０から取り外す場合には、次のように操作する。まず、固定部材６０をケース２０の内側に押し込み、凸部６６ａと嵌合凹部２８の嵌合を解除させる（図７参照）。すなわち、保護部材４０が弾性変形することで、固定部材６０の凸部６６ａが嵌合凹部２８から離脱する。凸部６６ａが嵌合凹部２８から離脱した状態を保持したまま、本体６２を周方向（図５中時計回り）に回動させる。本体６２を周方向に回動させることで、切欠部２５ａ、２５ｂの位置と凸部６６ａ、６６ｂとが一致する第１状態に移行する。第１状態では、固定部材６０の本体６２は、ケース２０の貫通孔２４と保護部材４０の通過孔４２とを通過可能であるため、固定部材６０をケース２０及び保護部材４０から取り外すことができる。固定部材６０をケース２０及び保護部材４０から取り外した後で、ケーブル８０及び保護部材４０をケース２０から取り外すことができる。
【００４０】
以上、本実施例の情報コード読取装置１０の構成について説明した。上記の通り、ケーブル８０のフランジ部８４は固定部材６０の挿通孔６４を通過不可能であるため（図３参照）、固定部材６０がケース２０に組み付けられることにより、ケーブル８０がケース２０から抜けることが防止される。固定部材６０がケース２０に組み付けられた状態では、固定部材６０の凸部６６ａがケース２０内の嵌合凹部２８に嵌合しているため、情報コード読取装置１０の使用に伴って固定部材６０に力が加わる場合であっても、固定部材６０がケース２０に対して回動することが抑制される。即ち、図５の第２状態から第１状態になることが規制される。そのため、固定部材６０がケース２０から外れることが抑制され、ケーブル８０がケース２０から外れることを適切に抑制することができる。
【００４１】
図５及び図７に示すように、第２ケース体２０ｂの内面で、かつ、貫通孔２４の周縁部分には、テーパ部２６が形成されている。テーパ部２６は、切欠部２５ａと嵌合凹部２８との間に形成されている。そのため、切欠部２５ａを通過してケース２０内に進入した凸部６６ａは、ケース２０に対して固定部材６０が回動するのに伴って、テーパ部２６に沿って嵌合凹部２８方向にガイドされ、その後に嵌合凹部２８に嵌合する。そのため、固定部材６０をケース２０に組み付ける作業を行うユーザが、ケース２０内で凸部６６ａが嵌合凹部２８に嵌合されたことを認識し易くなる。従って、凸部６６ａと嵌合凹部２８とを適切に嵌合することができる。
【００４２】
また、図５に示すように、ケース２０内には、固定部材６０の凸部６６ａ、６６ｂの周方向の移動を制限するストッパ３０ａ、３０ｂが形成されている。そのため、凸部６６ａ、６６ｂがストッパ３０ａ、３０ｂに当接することで、固定部材の過度の回動が制限されるとともに、固定部材６０の凸部６６ａを適切に嵌合凹部２８に嵌合させることができる。
【００４３】
また、本実施例の情報コード読取装置１０は、ケース２０の下端部に、ケース２０よりも柔軟で高弾性な材料で形成されている保護部材４０を備える。そのため、ケーブル８０が取り付けられている側からケース２０が落下した際に、保護部材４０によって落下時の衝撃を吸収することができ、ケース２０への衝撃の伝播を緩和することができる。
【００４４】
また、図３に示すように、固定部材６０の突出部６８は、本体６２が保護部材４０の通過孔４２を通過する際に、通過孔４２の周縁部分に当接される。さらに、突出部６８は、固定部材の凸部６６ａが嵌合凹部２８に嵌合される場合に、ケース２０との間に保護部材４０を挟んで、保護部材４０をケース２０に固定する。そのため、保護部材４０をケース２０に強固に固定させることができる。さらに、保護部材４０の弾性力によって固定部材６０が下方に付勢されることにより、固定部材６０の凸部６６ａが嵌合凹部２８から外れることを効果的に規制することもできる。また、ケース２０よりも柔軟な保護部材４０が必要に応じて変形することによって、固定部材６０の凸部６６ａを嵌合凹部２８に嵌合させる際、及び、これらの嵌合を解除する際の操作を容易に行うことができる。
【００４５】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を含んでもよい。
【００４６】
（変形例１）上記の実施例では、図５に示すように、第２ケース体２０ｂ側にのみテーパ部２６及び嵌合凹部２８が形成され、第１ケース体２０ａ側にはテーパ部及び嵌合凹部が形成されていない。これに限られず、第２ケース体２０ｂ側と第１ケース体２０ａ側の双方にテーパ部及び嵌合凹部を形成してもよい。
【００４７】
（変形例２）テーパ部２６を省略してもよい。その場合、嵌合凹部のケース内部への突出量が、ケース２０の内面の他の部分の突出量よりも小さいことが好ましい。
【００４８】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４９】
１０：情報コード読取装置
２０：ケース
２０ａ：第１ケース体
２０ｂ：第２ケース体
２２：読取口
２４：貫通孔
２５ａ、２５ｂ：切欠部
２６：テーパ部
２８：嵌合凹部
３０ａ、３０ｂ：ストッパ
３２：係合爪
３６：トリガスイッチ
４０：保護部材
４２：通過孔
４４ａ、４４ｂ：切欠部
４６：係合孔
６０：固定部材
６２：本体
６４：挿通孔
６６ａ、６６ｂ：凸部
６８：突出部
８０：ケーブル
８２：コネクタ
８２ａ：先端部分
８２ｂ：後端部分
８４：フランジ部
８６ａ、８６ｂ：凸部
８８：リング部
９０：配線
１００：基板
１０２：ソケット
【図１】
2015106258.tif 000003
【図２】
2015106258.tif 000004
【図３】
2015106258.tif 000005
【図４】
2015106258.tif 000006
【図５】
2015106258.tif 000007
【図６】
2015106258.tif 000008
【図７】
2015106258.tif 000009